(57)【特許請求の範囲】
【請求項１】
入力フレーム速度における複数の入力画像フレームを含む入力画像クリップを、電子モニタのそれぞれの表示フレーム期間中にそれぞれの前記入力画像フレームが表示されるような形態で前記電子モニタ上に表示する方法であって、前記電子モニタが通常画像を表示する表示フレーム速度は前記入力フレーム速度より速く、前記方法は、
前記複数の入力画像フレームの各入力画像フレームを前記入力フレーム速度で前記電子モニタに与えるステップと、
前記複数の入力画像フレームの各入力画像フレームに少なくとも１つのオーバスキャン期間を含ませることにより、前記各入力画像フレームに対応する前記電子モニタの表示フレーム期間を増大させ、これにより前記入力画像クリップが前記入力フレーム速度のままで前記電子モニタ上に表示されるようにするステップとを含む、方法。
【請求項２】
各入力画像フレームが奇数入力フィールドと偶数入力フィールドとに分割されて、各表示フレーム期間が奇数表示フィールド期間と偶数表示フィールド期間とに分割され、各奇数入力フィールドは対応する奇数表示フィールド期間の間、表示のためにモニタに与えられて、各偶数入力フィールドは対応する偶数表示フィールド期間の間、表示のためにモニタに与えられ、さらに、各表示フィールド期間は前記オーバスキャン期間によって次の表示フィールド期間から分離される、請求項１に記載の方法。
【請求項３】
前記表示フレーム期間を増大させるステップは、各フレームを表示するためのモニタで利用可能なラインの数より大きくなるように各フレームを表わすラインの数を増やすために付加的なラインを加えることにより、少なくとも１つのオーバスキャン期間を作り出すステップを含む、請求項１または請求項２に記載の方法。
【請求項４】
付加的なラインが空データを含み、かつ少なくとも１つのオーバスキャン期間の間、表示するために与えられる、請求項３に記載の方法。
【請求項５】
付加的なラインがモニタ画面の底部におけるまたは底部から外れた表示のために与えられる、請求項３または請求項４に記載の方法。
【請求項６】
各表示フレーム期間が前記少なくとも１つのオーバスキャン期間によって次の表示フレーム期間から分離される、請求項１ないし請求項５のいずれかに記載の方法。
【請求項７】
複数の入力画像フレームを入力フレーム速度で含む入力画像クリップを表示するための装置であって、前記装置は、
それぞれの表示フレーム期間の間、入力フレーム速度より大きい表示フレーム速度で画像フレームを表示するためのモニタと、
各入力画像フレームを入力フレーム速度でモニタに与え、かつ各表示フレーム期間が少なくとも１つのオーバスキャン期間を含むようにして、入力画像クリップが入力フレーム速度でモニタ上に表示されるようにそれぞれの表示フレーム期間を増やすための制御装置とを含む、装置。
【請求項８】
各入力画像フレームを奇数入力フィールドと偶数入力フィールドとに分割するためのフレーム分割回路をさらに含み、前記制御装置は、各表示フレーム期間を奇数表示フィールド期間と偶数表示フィールド期間とに分割し、各奇数入力フィールドを対応の奇数表示フィールド期間中表示のためにモニタに与え、各偶数入力フィールドを対応の偶数表示フィールド期間中表示のためにモニタに与え、さらに各表示フィールド期間を前記オーバスキャン期間によって次の表示フィールド期間から分離するように配置される、請求項７に記載の装置。
【請求項９】
各フレームを表示するためにモニタで利用可能なラインの数より多くなるように各々のフレームを表わすラインの数を増やすためにラインを付加するライン付加回路をさらに含む、請求項７または請求項８に記載の装置。
【請求項１０】
ライン付加回路が、前記少なくとも１つのオーバスキャン期間の間、表示するために与えられる空データを含むラインを加えるように構成される、請求項９に記載の装置。
【請求項１１】
ライン付加回路が、モニタ画面の底部におけるまたは底部から外れた表示のためにラインを加えるように構成される、請求項９または請求項１０に記載の装置。
【請求項１２】
制御装置が、各表示フレーム期間を前記少なくとも１つのオーバスキャン期間によって次の表示フレーム期間から分離させる、請求項７ないし請求項１１のいずれかに記載の装置。
【請求項１３】
第１のフレーム速度で獲得された画像フレームを有する画像クリップを表示するためのシステムであって、前記システムは、
複数のディスプレイ走査線を有し、線走査の終りに到達したことを示すライン同期信号およびディスプレイ走査の終りに到達したことを示す垂直同期信号に応答し、かつ通常は前記第１のフレーム速度より大きい第２のフレーム速度で画像を表示するように構成される線走査ディスプレイと、
前記画像フレームを表わす複数の画素ラインを規定するデータを前記ディスプレイに供給するためのソースと、
前記画像フレームに少なくとも１つのオーバスキャン期間を含ませることにより前記画像フレームを前記ディスプレイに前記第１のフレーム速度で表示するために、前記垂直同期信号を前記第１のフレーム速度に対応する減少された速度で発生するように、連続した垂直同期信号間の前記ライン同期信号および前記垂直同期信号の発生を制御するための制御回路とを含む、システム。
【請求項１４】
前記制御回路が、ライン同期信号の間の画素を数えるための画素カウンタと、垂直同期信号の間のラインを数えるためのラインカウンタとを含む、請求項１３に記載のシステム。
【請求項１５】
前記画素カウンタおよび前記ラインカウンタの各々が、前記ソースへ供給されるそれぞれのカウントを出力し、そこからのデータの供給を前記ライン同期信号および前記垂直同期信号に同期させる、請求項１４に記載のシステム。
【請求項１６】
前記制御回路が、前記画素カウンタからのカウント出力を予め定められた値と比較し、かつその比較の結果に従って前記ライン同期信号を発生するための比較回路をさらに含む、請求項１５に記載のシステム。
【請求項１７】
前記制御回路が、前記ラインカウンタからのカウント出力を予め定められた値と比較し、かつその比較の結果に従って前記垂直同期信号を発生するための比較回路を含む、請求項１５または請求項１６に記載のシステム。
【請求項１８】
前記ソースが、表示する順番にデータを出力するための直列出力を有する記憶装置を含む、請求項１３ないし請求項１７のいずれかに記載のシステム。
【請求項１９】
前記ディスプレイが、前記ソースからの前記データと、前記ライン同期信号および前記垂直同期信号とに応答して、駆動信号を発生してモニタを駆動し、モニタ上に画像クリップを表示するための表示ドライバを含む、請求項１３ないし請求項１８のいずれかに記載のシステム。
【請求項２０】
前記表示ドライバが、ライン同期信号に応答して最小にリセットしかつ連続的なライン同期信号の間の期間に最大までランプアップする出力信号を与えるための水平ランプ回路を含む、請求項１９に記載のシステム。
【請求項２１】
前記表示ドライバが、垂直同期信号に応答して最小にリセットしかつ通常のフィールド表示期間に対応する期間に前記第２のフレーム速度で最大までランプアップしかつリセットが起こるまで前記最大に留まる出力信号を発生するための垂直ランプ回路を含む、請求項１９または請求項２０に記載のシステム。
【請求項２２】
前記フレームが表示される前に、前記画像フレームを処理するための画像処理回路をさらに含む、請求項１３ないし請求項２１のいずれかに記載のシステム。
【発明の詳細な説明】
【０００１】
この発明は、画像を表示するための方法および装置に関する。この発明は、特に、しかしこれに限られるわけではないが、あるフレーム速度で獲得された画像を別のフレーム速度のモニタに表示する、たとえばフィルムのフレーム速度で獲得された画像をビデオのフレーム速度で表示する応用に適する。
【０００２】
ポストプロダクション作業の間、フィルムに獲得された画像が、電子的環境での記憶および修正のために電気的ビデオ信号に変換されることは通常のことである。一旦電気的信号に変換されると、画像は編集され、他の画像と結合され、および／またはたとえば画像の中の特徴を修正するかまたは画像の色のバランスを調整することによって修正され得る。
【０００３】
フィルムとビデオとの間の変換に関連する問題点のうちの１つは、２つのメディアの表示速度が異なるということである。フィルムは、通常毎秒２４フレームの速度で獲得されるが、高品位テレビ規格に従ったビデオは、毎秒３０フレームの速度で表示される。フィルムからビデオに変換する際、各々のフィルムフレームをそれに対応する単一のビデオフレームに変換することによって、フレームの完全性を維持するのが普通である。このことによって、編集、および／またはたとえば２つの画像をフレームごとに結合するのに使用するためのマット（ｍａｔｔｅ  ）が電子的に作り出されるべき場合には不可欠である修正のために、フィルムの各々のフレームにアクセスすることが可能となる。編集もまた電子的環境において実施され、それによって実際にフィルムをカットする必要を防ぎ、かつ多くの異なる編集の組合せを試すことが可能となる。一旦編集者が編集の結果に満足すると、フレームが結合される態様を特定するリストが作り出されることが可能であり、したがってビデオ編集に正確に適合するようにフィルムをカットすることが可能になる。
【０００４】
編集作業は通常フレームごとに行われ、１つ以上のビデオクリップの複数のフレームをモニタのそれぞれの表示領域に同時に表示することができる電子編集装置が利用できる。したがって、フレームはモニタ上で静止画像として見られるため、編集の間、通常は２つのメディアの異なる表示速度による重大な問題点は生じない。
【０００５】
しかしながら、ビデオを再生する間、フィルムからの１対１の変換による１つの影響は、ビデオ画像の中の動きが、それに対応するフィルム画像の中の動きに比べると加速して見られるということである。この理由は、添付の図面の図１を参照して説明される。図１に示されているように、フィルムクリップ１は複数のフィルムフレームＦ１〜Ｆ５を含む。上述のように、フィルムクリップは毎秒２４フレームの速度で獲得された複数の画像フレームを含む。人間の目は、動く画像が表示される基本周波数に敏感であり、フィルムが毎秒２４フレームで表示されると、表示された画像に２４Ｈｚのフリッカが見られる。知覚されるフリッカを減らすために、各々のフレームが２度表示されるダブルシャッタ付装置がフィルムプロジェクタに設けられる。このダブルシャッタ付映写装置は、表示の基本周波数を、人間の目ではより検出されにくい４８Ｈｚに増加する。このフィルムのダブルシャッタ表示は、図１のクリップ２によって表わされており、各々のフレームが、たとえばＦ１Ａ  およびＦ１Ｂ  のように２度表示され、表示Ｆ１Ａ  およびＦ１Ｂ  がフレーム内の帰線消去期間３によって分離され、連続したフレームの表示、たとえばＦ１Ｂ  およびＦ２Ａ  が、プロジェクタまたは他の表示装置（図示せず）のフレームのプルダウン期間に対応するフレーム内の帰線消去期間４によって分離される。
【０００６】
図１の表示されたクリップ２の隣に、複数のビデオフレームＶ１〜Ｖ５を含むビデオクリップ５が示されている。ビデオフレームＶ１〜Ｖ５は、それぞれフィルムフレームＦ１〜Ｆ５に対応する。図１の各々のフレームの垂直の長さは、再生中にフレームが表示される時間の長さを表わす。示されているように、ビデオクリップの５枚のフレームは、フィルムクリップ１の４枚のフレームと同じ時間の期間に対応する。したがって、ビデオフレームＶ１〜Ｖ５がビデオの速度（毎秒３０フレーム）で表示するために出力されれば、その再生は、フィルムの速度（毎秒２４フレーム）での対応するフィルムフレームＦ１〜Ｆ５の表示よりも２５％速く、したがって表示される際の画像の中の動きは加速されるであろう。
【０００７】
ビデオフレームは、インターリーブされたフィールドから構成され、それは２倍のフレーム速度で表示される。したがって、各々のビデオフレームは２つのインターリーブされたフィールドから構成され、一方のフィールドはフレームのすべての偶数ラインに対応し、他方のフィールドはフィールドのすべての奇数ラインに対応する。ビデオフレームＶ１〜Ｖ５の各々の奇数および偶数フィールドは、図１で「０」と「Ｅ」とによって表わされる。
【０００８】
異なる表示速度による上述の問題点を克服することができる１つの方法は、ビデオフレームを表わすのに使用されるフィールドの数を増加することである。２つの連続したビデオフレームを表わすフィールドの数を４枚から５枚に増やすことによって、２枚のビデオフレームによって占められる時間期間は、対応する２枚のフィルムフレームの時間期間と等しくなるであろう。この試みは３：２プルダウンとして既知であり、添付の図面の図１に示されている表示走査クリップ６で図示されている。図１に見られるように、最初の２枚のフィルムフレームＦ１およびＦ２は、奇数フィールドＶ１０  と偶数フィールドＶ１Ｅ  とを含む第１の表示フレーム７、および偶数フィールドＶ２Ｅ  と２つの奇数フィールドＶ２０  とを含む第２の表示フレーム８として表示されている。第２のフレーム８はまず最初に奇数フィールドＶ２０  、次に偶数フィールドＶ２Ｅ  、次に同じ奇数フィールドＶ２０  をもう一度出力することによって表示される。
【０００９】
３：２プルダウンに関連する１つの問題点は、クリップの中の１枚置きのフレームに、１つのフィールドを繰返し表示することによって生じる。１枚置きのフレームの余分なフィールドによって、そのフレームがより長い時間期間表示され、したがってプレビューの間のフレームの動きは余分なフィールドが存在することによって減速される。この動きの減速は１つ置きのフィールドでのみ起こり、２つの連続するフィールドでは動きの平均速度は適切である。しかしながら、２つのフィールド間の差異によって、動く物体が画像で断続的に動くように見える。画像の中にそのような不必要な動きのアーチファクトが生じることは、明らかに望ましくない。
【００１０】
さらに上述のように、フレームを構成する奇数および偶数フィールドはインターリーブされ、クリップをプレビューする間、モニタは交互に奇数フィールドの表示と偶数フィールドの表示とになる。これによって、クリップが３：２プルダウンを使用して表示される際に問題点が生じ、その問題点は表示されたクリップ６の第１および第２のフレーム７および８を構成するフィールドの検査から明らかである。奇数および偶数フィールドの表示の正しいシーケンスが、第３のフレーム９を構成する２つのフィールドの表示の順序を逆にすることによって維持されるということがわかるであろう。さらに、第４のフレーム９ａを構成する３つのフィールドの順序は偶数−奇数−偶数であり、第２のフレーム８のシーケンスの逆である。したがって、３：２プルダウンが、表示のためにフィールドがモニタに送られる順番を制御する複雑な制御回路を必要とすることが認められるであろう。
【００１１】
３：２プルダウンの使用の代替例は、クリップの中のビデオフレームの数を増やして、通常はスローモーション効果に関連した技術を使用して表示することであり、それはたとえば米国特許出願番号第０７／２４２，７９６号および対応のヨーロッパ出願番号第３１１２６８号に記載された技術であって、その教示は引用によりここに援用される。この試みの１つの問題点は、フィルムフレームＦ１〜Ｆ１０と、表示されたフレームとの間の１対１の関係が失われるということである。
【００１２】
この発明の目的は、それぞれのフィルムフレームに対応するビデオフレームがフィルムフレームの表示速度に対応する速度で表示される機構を与えることによって上述のおよび関連した問題を克服することである。
【００１３】
したがって、この発明の１つの局面に従って、電子モニタに複数の画像フレームを含む画像クリップを表示する方法が提供され、その方法で各々のフレームは、オーバスキャン期間によって次の画像フレームと分離されて表示するためにモニタに与えられる。
【００１４】
この発明の他の局面に従って、複数の画像フレームを含む画像クリップを表示するための装置が設けられ、その装置は、モニタと各々の画像フレームをオーバスキャン期間によって次の画像フレームと分離して、表示するためにモニタに与えるための制御手段とを含む。
【００１５】
さらに他の局面において、この発明は、第１のフレーム速度で獲得された画像フレームを含む画像クリップを、通常は第１のフレーム速度とは異なる第２のフレーム速度で画像を表示するために構成された（ａｒｒａｎｇｅｄ）ディスプレイ上に表示するためのシステムを提供し、そのシステムは、前記画像フレームを表わす画素の複数のラインを規定するデータを前記ディスプレイに供給するためのソース手段と、前記画像フレームを前記第１のフレーム速度で前記ディスプレイに表示するために連続した垂直同期信号の間にディスプレイに供給されるライン同期信号の数を増やすための制御手段とを含む。
【００１６】
この発明はまた、縮小されたフレーム速度でモニタに画像の連続を表示するための画像表示システムを提供し、そのシステムは、各々の表示されたフレームを構成する表示されたラインの数を増やすための回路を含む。
【００１７】
この発明は、モニタに供給される各々の画像フレームに対する画像情報の量を増やす一方で、前記情報が供給される速度を一定に維持することによってモニタのフレーム表示速度が縮小される、画像表示システムにおよぶ。
【００１８】
この発明の上述のおよびさらに他の特徴は、前掲の請求の範囲で特に述べられ、さらにその利点は、添付の図面を参照して与えられる発明の例示的な実施例の、次に述べる詳細な説明を考慮すれば、より明らかになるであろう。
【００１９】
【実施例の詳細な説明】
今、添付の図面の図２を参照すると、複数のビデオクリップのフレームを表わすデータを記憶するための大容量記憶装置１１を含む、編集システム１０が示されている。大容量記憶装置は、たとえば、ビデオフレームがそれらの間で分配されるディスク駆動機構のアレイであってもよく、そのような記憶装置は同時係属の英国特許出願番号第９１２２２１５．８号に開示されており、その教示は引用によりここに援用される。ビデオフレームを表わすデータは、好ましくは高い解像度のデータであり、たとえばフレーム当り１１２５本のラインであって、大容量記憶装置１１は高品位テレビ規格に従った表示速度（毎秒３０フレーム）でビデオフレームを送ることができる。データは、たとえばＶＴＲにオフラインで記憶され、必要なときに大容量記憶装置にダウンロードされるであろう。さらに説明するために、大容量記憶装置１１が、フィルムクリップのそれぞれのフレームから得たビデオクリップのフレームを表わすデータを含むということが仮定されるであろう。つまり、大容量記憶装置１１は、図面の図１に示されているようなビデオフレームＶ１〜Ｖ５を含むビデオクリップ５を表わすデータを少なくとも含む。
【００２０】
大容量記憶装置１１からのデータは、バッファ１２を介して、フレーム記憶装置１３に、および／または、たとえば個々のまたはグループのフレームを修正または別の方法で変更することができ、かつ２つ以上のビデオクリップを結合することができる編集／効果装置１４に送られる。つまり、装置１４は「ＨＡＲＲＹ」の商標で本出願人らによって製造され販売されるシステムで有用なものに類似した編集動作を行なうことができる。
【００２１】
フレーム記憶装置１３からの画素データは、表示速度で表示ドライバ１５に入力される。フレーム記憶装置１３から表示ドライバ１５への画素の転送速度は、表示速度で作動するシステムクロックＣＬＫによって制御され、それは高品位テレビの場合には５４ＭＨｚである。フレーム記憶装置１３内のアドレッシング回路（図示せず）は、画素がフレーム記憶装置１３からラスタの順番に読出されることを確実にする。表示ドライバ１５は、画素データをアナログ信号に変換し、それはモニタ１６を駆動してデータによって表わされた画像をそれに表示するために使用される。
【００２２】
周知のように、テレビ型のモニタでは、画像は、スクリーン上でラスタのシーケンスで電子ビームを走査することによってスクリーンに表示される。カラーモニタの場合、３つのビームが使用されて、カラー画像を構成する赤、緑および青の成分をスクリーンに表示する。それらのまたは各々のビームは、ビームの強度を連続的に変えるビデオ信号と、ビームを画面を横切って水平方向に走査させかつ１本の走査線の終りに来ると素早く次の走査線の初めに戻らせる水平走査信号と、ビームを次の走査線に動かしかつスクリーンの底部に達すると素早くスクリーンの頂部に戻らせる垂直走査信号とによって制御される。
【００２３】
表示ドライバ１５は、画素を、それらのまたは各々の電子ビームの強度を変えるためのビデオ信号に変換するためのデジタル／アナログ変換回路１７と、必要な水平走査信号を発生するための水平ランプ回路１８と、必要な垂直ランプ信号を発生するための垂直ランプ回路１９とを含む。水平ランプ回路１８は、１回の線走査の期間に対応する期間で最小から最大にランプアップし、かつ外部の同期信号Ｈ．Ｓｙｎｃ．によって最小にリセットされる信号を発生する。同様に、垂直ランプ回路１９は、フィールド走査（すなわち１１２５本のラインシステムにおけるすべての５６３本の奇数ラインおよび５６２本の偶数ライン）の期間に対応する期間で最小から最大にランプアップしかつ外部の同期信号Ｖ．Ｓｙｎｃ．によって最小にリセットされる信号を発生する。
【００２４】
システム１０は、モニタ１６での走査を制御するために使用されるＨ．Ｓｙｎｃ．およびＶ．Ｓｙｎｃ．信号を発生するための回路を含む。モニタ１６の画素の表示速度すなわち１３．５ＭＨｚで伝わるクロック信号ＣＬＫによって駆動される画素カウンタ２０は、各々がフレーム記憶装置１３からの画素の出力に対応するクロックパルスを数える。レジスタ２１は、各々のラインの画素の数に対応する値を含む。上述の規格の高品位テレビの映像に対して、各々のラインは１６００の画素を含み、したがってその数に対応する値はレジスタ２１に保持される。画素カウンタ２０とレジスタ２１とは、カウンタとレジスタとの内容が同じであるとき、すなわちカウンタが１６００まで数えたとき、パルスがラインカウンタ２３と画素カウンタ２０のリセット入力とに出力され、画素カウンタを０にリセットするように構成されたコンパレータ２２に接続される。
【００２５】
時間中のいかなる所与の瞬間においても、画素カウンタ２０からの出力は直接画素カウンタのアドレスと関係づけられ、従って、表示されるべき現在の画素を規定するデータのアドレスを特定するためにフレーム記憶装置１３に送られることがわかるだろう。
【００２６】
コンパレータ２２からの出力は、上述のＨ．Ｓｙｎｃ．信号に対応し、表示ドライバ１５に入力されて水平ランプ回路１８を最小にリセットする。Ｈ．Ｓｙｎｃ．パルスがラインカウンタ２３の入力に与えられる度に、それは、表示するためにモニタに現在出力されているのが奇数フィールドに対するデータであるかまたは偶数フィールドに対するデータであるかによって、カウンタ２３に１つの奇数または偶数のラインの数だけインクリメントさせる。もちろん、各々の表示されたビデオフレームは、インターレースされた奇数および偶数フィールドから構成されるが、次に述べる説明では簡略化するために奇数フィールドのみに関する回路の動作が記載される。ラインカウンタ２３からの出力もまた、フレーム記憶装置１３における画素のアドレスに直接関係する。したがって、ラインカウンタからのカウントＹは、表示されるべき現在の画素を規定するデータの垂直アドレスを特定するために、フレーム記憶装置１３に送られる。
【００２７】
第２のレジスタ２４は、フィールドで一番多い数のラインに対応する値を含む。１１２５本のラインシステムにおいては、レジスタ２４は１１２５という数に対応する値を含むであろう。ラインカウンタ２３と第２のレジスタ２４とは、ラインカウンタ２３のカウントがレジスタ２４の値と合うとパルスを出力する、コンパレータ２５に結合される。コンパレータ２５からの信号は、上述のＶ．Ｓｙｎｃ．信号に対応し、ラインカウンタ２３を次のフィールドのラインを数える準備ができるようにリセットし、かつ水平ランプ回路１９を最小にリセットするために使用される。
【００２８】
フィルムクリップから得たビデオクリップが表示されるべきとき、レジスタ２４の値は２５％だけ、すなわち１４０９という値に増加し、そのためＶ．Ｓｙｎｃ．パルスの間で数えられたラインの数は増加する。画素クロック速度は同じ（５４ＭＨｚ）に留まり、かつラインが走査される速度もまた変化せずに留まるが、ラインの数が増加したため、結果として各々の持続期間は増加する。垂直ランプ回路１９が、完全な１１２５本のラインに対応する時間期間で、最大にランプアップするように構成されているため、それは、その後のそれ以上のいかなるラインに対しても最大に留まり、Ｖ．Ｓｙｎｃ．パルスが受取られたときのみリセットする。したがって、モニタ１６の電子ビームは、表示されているフィールドの各々のラインを走査し、その後Ｖ．Ｓｙｎｃ．パルスがランプ回路をリセットするまで、繰返し最後のラインを走査する。
【００２９】
このシステムはまた、一旦フィールドを規定するデータのすべてのラインがフレーム記憶装置１３から出力されると、ラインカウンタが０にリセットされるときまで空データのみが出力されるように構成される。
【００３０】
Ｖ．Ｓｙｎｃ．パルス間のラインの数のこの増加がクリップの表示のタイミングに与える影響は、添付の図３に示されている。図３を参照すると、フィルムクリップ１および対応するビデオクリップ５は、図１に示されているフィルムおよびビデオクリップと同じであることがわかるであろう。したがって、ビデオフレームＶ１〜Ｖ５はフィルムフレームＦ１〜Ｆ５のそれぞれを表わしている。所与のビデオフィールド、たとえばフレームＶ１の奇数フィールドであるＶ１０  に関しては、すべての画素はモニタに表示するためにビデオ表示速度でフレーム記憶装置１３からクロックされる。一旦所与のフィールドのすべての画素に対するデータが表示するために出力されると、Ｖ．Ｓｙｎｃ．パルスが発生されるときまで、空データが表示するために出力され、それによって新しいフィールドの開始を特定する。したがって、空データによって表わされた画素は、モニタの最後のラインに表示される。最後のラインが画像に与えた寄与は、無視できるほどのものであり、実際にほとんどの場合、最後のラインはディスプレイ上にはまったく見られない。したがって、モニタに供給された空データは、最後のラインが見える場合はたとえば黒色画素、最後のラインがモニタに見られない場合には黒色または白色画素、もくはモニタ上の他の部分に表示された画像の一部分に対応するものなど、いかなる適切な値をも有してもよい。
【００３１】
Ｖ．Ｓｙｎｃ．パルス間のラインの数を増加する一方で、表示するために画素が出力される速度を変化させないことによって、システム１０は、各々がオーバスキャン期間３１によって分離される奇数および偶数ビデオフィールドＶ１０  、Ｖ１Ｅ  、Ｖ２０  、Ｖ２Ｅ  等を含む表示出力を発生する。オーバスキャン期間３１は、図１に示されているような、フィルムクリップを表示する間の映写帰線消去期間３および４にほぼ対応する。したがって、ビデオフィールドは毎秒４８フィールドの速度で表示され、したがってダブルシャッタ映写によって達成される４８Ｈｚの速度に対応する。つまり、フィールドＤＶ１０  、ＤＶ１Ｅ  等が表示される速度はフィルム１のダブルシャッタのフレーム速度に縮小される。
【００３２】
オーバスキャン期間３１の間、表示された画像のリフレッシュは起こらず、これが表示された画面のフリッカに影響する。しかしながら、フリッカは４８Ｈｚで発生し、多くの点においてダブルシャッタのフィルム表示に存在するフリッカに類似している。数分間見た後、視聴者の目は、いかなるフリッカをも補償し、そのためフリッカの知覚されるレベルはかなり低減される。
【００３３】
連続するフィールドの表示の間にオーバスキャン期間３１を取入れることによって、表示画面中の上述の断続的な動きの問題点は克服され、正しい速度で動きが起こるように見える。
【００３４】
このように好ましい実施例を参照することによってこの発明を説明してきたので、この実施例が単に例示的なものであって、当業者に思い付くであろう修正や変更が前掲の請求の範囲およびその均等物で述べられたような発明の意図および範囲から外れることなくなされ得るということが十分に理解されるはずである。
【図面の簡単な説明】
【図１】既知の表示方法の概略図である。
【図２】画像クリップを表示するためのシステムの概略システム図である。
【図３】図２のシステムにおける表示方法の概略図である。
【符号の説明】
１３  フレーム記憶装置
１５  表示ドライバ
２０  画素カウンタ
２１  水平カウントレジスタ
２３  ラインカウンタ
２４  垂直カウントレジスタ
【図１】
0003587539.tif 000002
【図２】
0003587539.tif 000003
【図３】
0003587539.tif 000004